(57)【要約】【課題】吸い込みの持続性および集塵量を確保しつつ吸込仕事率の低下を抑制した集塵カップを提供する。【解決手段】水平成分を有する流路を形成する吸気口71の開口方向に対して４５°以下の所定角度で傾斜した傾斜面86にフィルタ82を、吸気口71の形状の投影位置Ａに少なくとも一部が位置するようにケース体51内に配置する。フィルタ82に塵埃が付着しにくく吸い込みの持続性を確保できる。フィルタ82全体を吸気口71に近づけて配置する必要がないので集塵量を確保でき、かつ、フィルタ面積を増大できるので、吸込仕事率の低下を抑制できる。【選択図】図１
2011010742.tif 000002
【特許請求の範囲】
【請求項１】
水平成分を有する流路を形成する吸気口、および、この吸気口に対向する位置に形成された排気口を備えたケース体と、
このケース体の内側に位置し前記吸気口の開口方向に対して４５°以下の所定角度で傾斜した傾斜面に配置され、前記吸気口の形状の投影位置に少なくとも一部が位置するフィルタと
を具備したことを特徴とした集塵装置。
【請求項２】
傾斜面は、ケース体の吸気口側の内面と接触している
ことを特徴とした請求項１記載の集塵装置。
【請求項３】
傾斜面は、フィルタの下流側が吸気口の形状の投影位置よりも下流側へと延長されている
ことを特徴とした請求項１または２記載の集塵装置。
【請求項４】
フィルタの吸気口と対向する位置にケース体の内面側の前記吸気口の形状の投影位置以上の幅寸法を有する流路を区画する区画リブを備えている
ことを特徴とした請求項１ないし３いずれか一記載の集塵装置。
【請求項５】
ケース体は、塵埃を外部に排出するための塵埃排出口を下部に備え、
前記塵埃排出口を開閉する蓋体を具備し、
フィルタは、前記蓋体側に位置して前記ケース体に回動可能に軸支され、前記蓋体により前記塵埃排出口を開いた状態で塵埃を前記塵埃排出口側へと移動させるように回動する
ことを特徴とした請求項１ないし４いずれか一記載の集塵装置。
【請求項６】
フィルタは、蓋体に一体的に取り付けられている
ことを特徴とした請求項５記載の集塵装置。
【請求項７】
電動送風機を収容した掃除機本体と、
前記電動送風機の吸込側に排気口が連通するように前記掃除機本体に配置される請求項１ないし６いずれか一記載の集塵装置と
を具備したことを特徴とした電気掃除機。
【発明の詳細な説明】
【技術分野】
【０００１】
本発明は、吸気口および排気口を備えたケース体内にフィルタを配置した集塵装置およびこれを備えた電気掃除機に関する。
【背景技術】
【０００２】
従来、電気掃除機に用いられる集塵装置としての集塵カップは、合成樹脂などにより形成されたケース体に吸気口と排気口とが形成され、排気口を覆って排気側フィルタが配置されているとともに、ケース体の内部に吸気口から排気口へと連通するように区画された風路にフィルタが配置されている。このようなフィルタには、経時的に塵埃が付着して目詰まりが生じ、電動送風機による吸込力が低下してしまうため、このような目詰まりの際にも吸気の一部をバイパスする風路を形成し、この風路にフィルタを別個に配置することで吸込力の低下を抑制して、集塵カップの吸い込みの持続力を維持する構成が知られている(例えば、特許文献１参照。)。
【０００３】
しかしながら、このような構成では、ケース体内の風路構成が複雑化して、吸込仕事率が低下するおそれがあるという問題がある。
【０００４】
そこで、吸気口と排気口との間に配置されるフィルタの位置を吸気口に近づけるとともに、吸気風をフィルタへと整流する整流体をフィルタ側から吸気口に向けて突出させることにより、フィルタに捕集した塵埃を吸気口からの吸気によって随時フィルタから剥離させることで、塵埃の捕集機能と持続力の維持機能とのそれぞれを共通のフィルタに持たせる構成が知られている(例えば、特許文献２ないし４参照。)。この構成では、風路を単純化できるため、吸込仕事率の低下を抑制できる。
【先行技術文献】
【特許文献】
【０００５】
【特許文献１】特開２００８−１６１４７１号公報(第３−７頁、図１−２)
【特許文献２】特開２００７−３１３１８０号公報(第４−５頁、図１)
【特許文献３】特開２００８−２２９３２号公報(第４−６頁、図２)
【特許文献４】特開２００８−２３２１７号公報(第５−６頁、図６)
【発明の概要】
【発明が解決しようとする課題】
【０００６】
しかしながら、上述の集塵装置では、フィルタと吸気口との間に距離を取ることが容易でないため、ケース体内に収容可能な塵埃量が低下するという問題点を有している。
【０００７】
本発明は、このような点に鑑みなされたもので、吸い込みの持続性および集塵量を確保しつつ吸込仕事率の低下を抑制した集塵装置およびこれを備えた電気掃除機を提供することを目的とする。
【課題を解決するための手段】
【０００８】
本発明は、水平成分を有する流路を形成する吸気口、および、この吸気口に対向する位置に形成された排気口を備えたケース体の内側に位置し吸気口の開口方向に対して４５°以下の所定角度で傾斜した傾斜面に配置され、吸気口の形状の投影位置に少なくとも一部が位置するフィルタを具備したものである。
【発明の効果】
【０００９】
本発明によれば、水平成分を有する流路を形成する吸気口の開口方向に対して４５°以下の所定角度で傾斜した傾斜面にフィルタを、吸気口の形状の投影位置に少なくとも一部が位置するようにケース体内に配置することで、フィルタに塵埃が付着しにくく吸い込みの持続性を確保できるとともに、フィルタ全体を吸気口に近づけて配置する必要がないので集塵量を確保でき、かつ、フィルタ面積を増大できるので、吸込仕事率の低下を抑制できる。
【図面の簡単な説明】
【００１０】
【図１】本発明の第１の実施の形態の集塵装置を備えた電気掃除機の掃除機本体の一部を示す縦断面図である。
【図２】同上集塵装置の塵埃の廃棄時を示す縦断面図である。
【図３】同上集塵装置を示す斜視図である。
【図４】同上電気掃除機を示す斜視図である。
【図５】本発明の第２の実施の形態の集塵装置を示す縦断面図である。
【図６】同上集塵装置の一部を模式的に示す平面図である。
【図７】本発明の第３の実施の形態の集塵装置の塵埃の廃棄時を示す縦断面図である。
【発明を実施するための形態】
【００１１】
以下、本発明の第１の実施の形態の構成を図１ないし図４を参照して説明する。
【００１２】
図４において、11はいわゆるキャニスタ型の電気掃除機を示し、この電気掃除機11は、管部12と、この管部12が着脱可能に接続される掃除機本体13とを有している。
【００１３】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１４】
手元操作部17には、把持部21がホース体16側へと突出し、この把持部21には、操作用の設定ボタン22が複数設けられている。
【００１５】
また、掃除機本体13は、図１に示すように、本体ケース25を備え、この本体ケース25の内部に形成された隔壁26の後側に、電動送風機27を収容する電動送風機室28、および、図示しない電源コードを巻回したコードリールを収容する図示しないコードリール室とが区画されているとともに、隔壁26の前側に、この隔壁26に設けられた連通口31を介して電動送風機27の吸込側に連通する本体集塵室35が区画され、この本体集塵室35に、集塵装置としての集塵カップ36が着脱可能に設けられている。
【００１６】
本体ケース25は、例えば剛性を有する合成樹脂などにより形成され、上側が開口した下ケース38と、この下ケース38の上側後部である電動送風機室28およびコードリール室を覆う上ケース39と、この上ケース39あるいは下ケース38に対して上下方向に回動可能に軸支され本体集塵室35を開閉可能とする本体蓋40と、電動送風機室28およびコードリール室の後部を覆う後部パネル41とを備えている。
【００１７】
下ケース38の前側には、本体集塵室35に連通し接続管部15を連通接続可能な本体吸込口43が開口形成されている。さらに、下ケース38の両側部には、掃除機本体13を被掃除面である床面上で走行可能にする径大の走行輪44(図４)が回転自在に取り付けられている。そして、下ケース38の下部には、掃除機本体13に旋回性を付与してこの掃除機本体13の走行性を向上するための旋回輪ユニット45が旋回自在に取り付けられている。
【００１８】
また、上ケース39には、掃除機本体13を持ち運ぶためのハンドル体47が取り付けられている。このハンドル体47は、電源コードのコードリールへの巻き取り用のボタンとしても機能するように構成されている。
【００１９】
また、後部パネル41には、電動送風機室28およびコードリール室と本体ケース25(掃除機本体13)の外部とを連通する本体排気孔49が上下方向および左右方向に複数形成されている。
【００２０】
そして、集塵カップ36は、図１ないし図３に示すように、例えば剛性を有する合成樹脂などにより形成されたケース体51と、このケース体51の後部に着脱可能に配置された排気側フィルタであるフィルタ体52と、ケース体51の下部に回動可能に軸支された蓋体53と、ケース体51の上部に形成されたハンドル54とを備えている。
【００２１】
ケース体51は、吸い込んだ塵埃の大部分(主に粗塵)を実質的に収容する塵埃収容部56および吸気風が通過する風路57を区画するケース本体部61と、このケース本体部61の下流側である後部に連続しフィルタ体52を着脱するためのフィルタ体取付部62と、ケース本体部61の下部に連続する拡開部63とを一体に有している。
【００２２】
ケース本体部61は、上流側面部である正面視四角形状の前面部65と、この前面部65の上部から後方へと連続する上面部66と、前面部65および上面部66の両側部に連続する側面部67，67と、上面部66の下部でかつ側面部67，67間に連続する閉塞部68とを備えている。また、ケース本体部61の内部には、フィルタ部69が回動可能に取り付けられている。
【００２３】
前面部65には、上下方向の略中央部に、前後方向に沿って開口方向(軸方向)を有する円形状の吸気口71が水平状に形成されている。したがって、この吸気口71は、水平成分を有する流路を形成している。なお、この吸気口71は、本実施の形態において、ケース体51の外側と内側とで開口方向が略等しいため、以下、ケース体51の内側での吸気口71の開口方向とケース体51の外側での吸気口71の開口方向を区別せず、いずれも吸気口71の開口方向というものとする。
【００２４】
また、前面部65の前部には、蓋体53をケース体51に係止するための係止体72，72を動作させるための図示しない係止体駆動機構を収容する収容部を区画するための収容部区画体73が取り付けられている。さらに、前面部65の下端部は、拡開部63の上部に連続している。
【００２５】
収容部区画体73は、吸気口71の上側から両側下部に亘ってアーチ状に形成されており、複数の図示しないねじにより前面部65に固定されている。また、この収容部区画体73の中央部には、吸気口71の開口方向に沿って軸方向を有する円筒状の導風部76が形成され、この導風部76が吸気口71の上流側に同軸状に配置されている。そして、この導風部76は、本体吸込口43の下流側である後部に取り付けられた可撓性(弾性)を有する円筒状のシール部材77の後端部に対して、前端部が集塵カップ36を本体集塵室35に取り付けた状態で圧接されることにより、吸気口71と本体吸込口43とを気密に接続するように構成されている。
【００２６】
各係止体72は、収容部区画体73の両側の下部に上端部が軸支されて前後方向に回動可能となっている。また、各係止体72の下端部は、拡開部63よりも下方に突出しており、この下端部の後部には、蓋体53を係止するための図示しない爪部が形成されている。さらに、各係止体72は、例えば係止体駆動機構の一部をなすばねなどの付勢手段などにより、下端側が後方へと回動するように付勢されている。
【００２７】
また、上面部66は、上側へと円弧状に湾曲して形成され、前側(上流側)から後側(下流側)へと上方に傾斜している。
【００２８】
各側面部67は、前面部65に対してそれぞれ上側から下側へと徐々に拡開状に形成されている。また、各側面部67の下端部は、拡開部63の上部に連続している。
【００２９】
また、閉塞部68は、壁状に形成されており、フィルタ部69との間に、塵埃収容部56を区画している。
【００３０】
そして、フィルタ部69は、剛性を有する合成樹脂などにより板状に形成されたフィルタ枠部81と、このフィルタ枠部81に取り付けられたメッシュ状の(一方の)一次フィルタとしての濾過フィルタである平面状のフィルタ82とを有している。また、このフィルタ部69は、閉塞部68に対して、蓋体53側である下側に位置している。
【００３１】
フィルタ枠部81は、前側に位置する前側(上流側)フィルタ枠部84と、後側に位置する後側(下流側)フィルタ枠部85とを一体に備えて屈曲状に形成され、フィルタ82が取り付けられる傾斜面86を形成している。さらに、このフィルタ枠部81は、外周縁がケース本体部61の内面に隙間なく密着している。そして、このフィルタ枠部81は、前側から後側へと、上方に向けて傾斜状に配置されている。
【００３２】
前側フィルタ枠部84は、フィルタ82の上流側と下流側とを連通する風路57を構成するための通気開口としての前側(上流側)通気開口84aを複数備えた格子状に形成され、平板状となっている。また、前側フィルタ枠部84の前端部である下端部は、吸気口71の下側でケース本体部61の前面部65の下方に位置する拡開部63の内面に接触している。さらに、前側フィルタ枠部84は、吸気口71のケース本体部61の内面側の開口方向である水平方向に対して、側面視で４５°以下の所定角度で傾斜している。また、前側フィルタ枠部84は、前側通気開口84aの上側の位置から後側フィルタ枠部85との連続部である上端部に亘って、吸気口71の形状の投影位置Ａ内に位置している。そして、前側フィルタ枠部84の下端部は、蓋体53の前端側の上部に当接してこの蓋体53により支持されている。
【００３３】
後側フィルタ枠部85は、フィルタ82の上流側と下流側とを連通する風路57を構成するための通気開口としての後側(下流側)通気開口85aを複数備えた格子状に形成され、平板状となっている。また、後側フィルタ枠部85は、前側フィルタ枠部84に対して、上方へと屈曲するように形成されている。さらに、後側フィルタ枠部85の後端部である上端部は、吸気口71の形状の投影位置Ａの外側である上側へと延長され、ケース本体部61の側面部67，67に両端部が回動可能に軸支された回動軸85bとなっている。したがって、フィルタ部69がケース本体部61に対して上下方向に回動可能となっている。また、後側フィルタ枠部85は、吸気口71のケース本体部61の内面側の開口方向である水平方向に対して、側面視で４５°以下の所定角度で、かつ、前側フィルタ枠部84よりも大きい角度で傾斜している。したがって、傾斜面86は、全体が吸気口71のケース本体部61の内面側の開口方向である水平方向に対して側面視で４５°以下の所定角度で交差している。なお、傾斜面86が吸気口71のケース本体部61の内面側の開口方向に対して側面視で４５°以下の所定角度で交差している状態とは、例えば傾斜面86を構成するフィルタ枠部81あるいはフィルタ82が円弧状に下側に湾曲している場合に、フィルタ枠部81の前端側と後端側とを含む平面、あるいは湾曲部分の接線(接平面)が吸気口71のケース本体部61の内面側の開口方向に対して側面視で４５°以下の所定角度で交差している状態なども含むものとする。
【００３４】
フィルタ82は、前側通気開口84aと、後側通気開口85aとのそれぞれを閉塞して配置されている。換言すれば、フィルタ82は、少なくとも一部が吸気口71の形状の投影位置Ａ内に配置されており、かつ、外縁部全体が吸気口71の投影位置Ａよりも外側に位置している。
【００３５】
また、フィルタ体取付部62は、四角形枠状に形成されており、上面部66、側面部67，67および拡開部63の後部に段差状に拡開されている。すなわち、このフィルタ体取付部62は、ケース本体部61の内部を介して吸気口71の下流側に連通する排気口93を、ケース体51の後部に四角形状に区画している。この排気口93は、吸気口71に対向する位置に開口形成されている。
【００３６】
また、拡開部63は、枠状に形成されており、前面部65および側面部67，67の下部に段差状に拡開されている。すなわち、この拡開部63は、ケース本体部61の内部に連通する塵埃廃棄用の塵埃排出口95をケース体51の下部に区画している。また、この拡開部63の後部には、フィルタ体取付部62の前側に対向する位置に、左右幅方向に沿う壁部63aが形成されており、この壁部63aには、フィルタ体取付部62側と拡開部63内とを連通する開口63bが形成されている。さらに、拡開部63は、後側が前側よりも下方に突出している。したがって、塵埃排出口95は、吸気口71の開口方向に対して直交する垂直上下方向に対して傾斜する方向に開口方向を有し、前側下方に向けて開口している。このため、塵埃排出口95は、垂直上下方向に開口する場合と比較して、開口面積を大きく取ることができる。
【００３７】
また、フィルタ体52は、排気口93全体を閉塞するようにフィルタ体取付部62の後部に取り付け可能である。すなわち、このフィルタ体52は、フィルタ82の下流側に位置し、風路57を介して吸気口71側と連通している。このフィルタ体52は、四角形枠状のフィルタ枠97と、このフィルタ枠97に保持されたメイン(二次)フィルタとしての表面集塵フィルタであるプリーツフィルタ98と、プリーツフィルタ98に捕集した塵埃を除去するための図示しない除塵手段とを備えている。
【００３８】
フィルタ枠97は、フィルタ体52を排気口93に取り付けた状態でこの排気口93の縁部との隙間を気密に閉塞するように構成されている。
【００３９】
プリーツフィルタ98は、前側に突出する前側突出部と後側に突出する後側突出部とが左右幅方向に交互に連続したプリーツ形状をなしている。
【００４０】
除塵手段は、例えばプリーツフィルタ98の下流側に位置し、このプリーツフィルタ98に対して左右幅方向に移動可能に配置されており、この移動によりプリーツフィルタ98の後側突出部の先端部を順次乗り越えることによってプリーツフィルタ98を弾いてこのプリーツフィルタ98に振動を付与し、このプリーツフィルタ98に捕集した塵埃を除去するように構成されている。なお、この除塵手段は、手動で動作させる構成でもよいし、電動送風機27の停止時、あるいは電動送風機27の動作開始直前などの所定のタイミングで自動的に動作させる構成でもよい。
【００４１】
また、蓋体53は、上側が開放された平皿状に形成されており、後部に回動軸53aが突出している。この回動軸53aは、フィルタ体取付部62の下部に回動可能に軸支されている。このため、この蓋体53は、回動により塵埃排出口95を開閉可能である。また、この蓋体53の上側の周縁部には、蓋体53を閉じた状態で拡開部63の下端部に圧接されて塵埃排出口95を気密に閉塞するための可撓性(弾性)を有する集塵シール部材101が取り付けられている。さらに、この蓋体53の前端部には、係止体72，72の下端側の爪部が係合される被係合部102，102がそれぞれ形成されている。
【００４２】
また、ハンドル54は、ケース体51の前後方向に沿って形成されており、係止体72，72を動作させるための上記係止体駆動機構の一部が内部に配置されている。そして、このハンドル54の上部には、係止体駆動機構を操作するための操作ボタン104を外部に露出させるための開口部105が後側寄りの位置に形成されている。
【００４３】
また、風路57は、吸気口71から各通気開口84a，85a(フィルタ82)およびフィルタ体52(プリーツフィルタ98)を介して排気口93へと流れる風路である。
【００４４】
また、電動送風機27は、例えば合成樹脂などにより形成された略円筒状の電動送風機カバー107により少なくとも一部が覆われた状態で、電動送風機室28に前後方向に沿って配置されている。さらに、電動送風機27は、本体ケース25(掃除機本体13)内に収容された図示しない制御手段である本体制御部により、設定ボタン22(図４)で設定された動作モードで駆動するように制御される。
【００４５】
また、電動送風機カバー107の前部には、隔壁26の連通口31の下流側である後部に、上流側である前側から下流側である後側へと徐々に縮径された略円筒状の整流体であるインデューサ108の下流端であるが後端が挿入されるカバー吸込口109が開口形成され、このカバー吸込口109に挿入されたインデューサ108の下流端が、電動送風機27の吸込側に気密に接続されている。そして、電動送風機カバー107の後側の下部には、電動送風機27からの排気を排出するためのカバー排気口110が開口形成されている。
【００４６】
なお、電動送風機カバー107は、例えば上下、あるいは前後などに複数に分割されていてもよく、電動送風機27を図示しない懸架手段などを介して内部に弾性的に懸架する構成としてもよい。さらに、電動送風機カバー107自体も本体ケース25の下ケース38などに弾性的に支持されていてもよい。
【００４７】
次に、上記第１の実施の形態の作用を説明する。
【００４８】
まず、図１に示すように、掃除機本体13の本体集塵室35内に集塵カップ36を取り付け、図４に示すように、掃除機本体13の本体吸込口43に対して管部12の接続管部15を接続し、ホース体16、延長管18および床ブラシ19を順次連通接続した状態で、床ブラシ19を床面上に載置して、把持部21を把持し、所望の設定ボタン22を操作することで、本体制御部が電動送風機27を所望の動作モードで動作させる。そして、作業者は、把持部21により、延長管18を介して床ブラシ19を床面上で前後に走行させる。
【００４９】
電動送風機27の駆動により生じる負圧は、インデューサ108、連通口31、集塵カップ36、本体吸込口43、ホース体16および延長管18を介して床ブラシ19に作用し、床面上の塵埃を空気とともに吸い込む。
【００５０】
この吸い込まれた空気は、吸気風となり、塵埃とともに床ブラシ19から延長管18、ホース体16および本体吸込口43を介して、図１に示す集塵カップ36の吸気口71から集塵カップ36内に吸い込まれる。
【００５１】
この吸気風は、図１の矢印Ｗに示すように、吸気口71の開口方向に沿って水平状にフィルタ部69へと吹き付けられる。このとき、フィルタ枠部81が吸気口71の開口方向に対して４５°以下の所定角度で交差するように傾斜していることにより、吸気風は、フィルタ部69(フィルタ82)に沿ってこのフィルタ部69(フィルタ82)の表面を流れる成分(ベクトル)が、フィルタ82と直交する成分(ベクトル)、すなわちフィルタ82を通過する成分よりも多くなる。このため、フィルタ82を吸気風が通過してこのフィルタ82に捕集された塵埃は、吸気風の力によりフィルタ82から殆ど剥がされて吸気口71から離れる方向へと吹き飛ばされ、この吹き飛ばされた塵埃とともに、吸気風がフィルタ部69(傾斜面86)に沿って整流されて閉塞部68側へと旋回状に流れ、塵埃収容部56に収容される。したがって、吸気風とともに吸い込んだ塵埃の大部分(綿ごみなどの粗塵Ｄ)は、フィルタ部69の後端部から閉塞部68側に溜められ、フィルタ部69のフィルタ82は吸気風によって塵埃が剥がされて吹き飛ばされ、目詰まりが抑制された状態に維持される。すなわち、フィルタ82の目詰まりが抑制された状態に維持されるので、電動送風機27の吸込力が持続する。
【００５２】
フィルタ82を通過した吸気風は、プリーツフィルタ98を通過する際に、このプリーツフィルタ98により、フィルタ82により捕集しきれなかった細塵(微細塵)が表面集塵される。
【００５３】
この後、吸気風は、排気口93から集塵カップ36の下流側(外側)へと排気され、図１に示す連通口31およびインデューサ108を介して電動送風機27の吸込側へと吸い込まれ、この電動送風機27を冷却しつつ通過して排気風となり、電動送風機カバー107のカバー排気口110から排気された後、電動送風機室28およびコードリール室から本体排気孔49を介して掃除機本体13(本体ケース25)の外部へと排気される。
【００５４】
掃除が終了すると、作業者は図４に示す設定ボタン22を操作して、電動送風機27を停止させる。
【００５５】
このとき、集塵カップ36内の粗塵Ｄは、吸気風が作用しなくなることで自重によりフィルタ部69側に落下する。
【００５６】
集塵カップ36内に一定量以上の粗塵が溜まった際には、作業者は本体ケース25の本体蓋40を開いて集塵カップ36を本体集塵室35から取り外し、ハンドル54を把持して集塵カップ36をごみ箱などの廃棄部上へと持ち運ぶ。そして、作業者が操作ボタン104を操作することにより、係止体72，72が被係合部102，102から外れて、蓋体53の前端側が回動軸53aを中心として自重により下方へと回動し、塵埃排出口95が開く。
【００５７】
このとき、図２に示すように、蓋体53により下側から支持されていたフィルタ部69は、蓋体53が下方へと開くことによって下側からの支持を失い、自重により回動軸85bを中心として前端側が下方へと回動する。このため、フィルタ部69の上側の塵埃収容部56に溜められていた粗塵Ｄが、自重により塵埃排出口95から集塵カップ36の外部の廃棄部へと落下して排出される。このとき、フィルタ82およびフィルタ体52のプリーツフィルタ98も、捕集した塵埃をそれぞれクリーニングすることが好ましい。
【００５８】
塵埃を廃棄した後は、作業者が蓋体53を上方へと回動させると、この蓋体53に当接してフィルタ部69も回動軸85bを中心として上方へと回動し、蓋体53により塵埃排出口95を完全に閉塞した状態、すなわち係止体72，72を蓋体53の被係合部102，102に係合させた状態で、フィルタ枠部81の前端部が吸気口71の下側でケース本体部61の前面部65の下方に位置する拡開部63の内面に接触した状態のまま保持される。そして、このように塵埃を廃棄することにより、集塵カップ36は繰り返し使用できる。
【００５９】
上述したように、上記第１の実施の形態では、水平成分を有する流路を形成する吸気口71の開口方向に対して４５°以下の所定角度で傾斜した傾斜面86にフィルタ82を、吸気口71の形状の投影位置Ａに少なくとも一部が位置するようにケース体51の内部に配置することで、吸気口71の開口方向に沿ってケース体51内に流入した吸気風のフィルタ82の上流面を流れる成分が、このフィルタ82に直交する成分(フィルタ82を通過する成分)よりも多くなり、吸気風が勢いよくフィルタ82の上流面に沿って流れ、このフィルタ82に付着した塵埃を吹き飛ばす。このため、フィルタ82に塵埃が付着しにくくなるので、吸い込みの持続性を確保できる。
【００６０】
また、フィルタ82全体を吸気口71に近づけて配置する必要がないので、塵埃収容部56の容積が低下せず、集塵量を確保できるとともに、フィルタ面積を増大できるので、吸込仕事率の低下を抑制できる。
【００６１】
特に、フィルタ82は、吸気口71の開口方向に対して４５°以下の所定角度に傾斜しているので、吸気口71からケース体51の内部に吸い込まれた吸気風の投影面が、吸気口71の開口方向に対して直交する方向に沿って配置した場合の√２倍以上となり、フィルタ面積を効率よく増大できるとともに、フィルタ82への塵埃の付着を効果的に抑制できる。
【００６２】
また、傾斜面86を構成するフィルタ枠部81をケース体51の吸気口71側の内面と接触させることにより、吸気口71からケース体51内に流入した吸気風の全てを無駄なくフィルタ82の上流面に導くことができ、効果的にフィルタ82から塵埃を吹き飛ばすことができるので、フィルタ82に、より塵埃が付着しにくくなる。
【００６３】
さらに、傾斜面86(フィルタ枠部81)のフィルタ82の下流側を吸気口71の形状の投影位置Ａよりも下流側へと延長することにより、電動送風機27が駆動している状態では、吸気風によってフィルタ82の上流面から吹き飛ばされた塵埃をフィルタ82の下流側でフィルタ82が位置しない傾斜面86上から閉塞部68側の位置に保持しておくことができ、この吹き飛ばされた塵埃がフィルタ82を閉塞することを抑制できる。
【００６４】
そして、フィルタ82を蓋体53側に位置させてケース体51に回動可能に軸支し、蓋体53により塵埃排出口95を開いた状態でフィルタ82が塵埃を塵埃排出口95側へと移動させるように回動することにより、蓋体53を開く動作のみでフィルタ82が回動して塵埃収容部56内の粗塵Ｄを塵埃排出口95から排出し塵埃収容部56内の粗塵Ｄを容易に除去できる。
【００６５】
さらに、フィルタ82は、外縁部全体が吸気口71の投影位置Ａよりも外側に位置している、換言すれば、フィルタ82は吸気口71の投影位置Ａの面積全体を覆う大きさに形成されているため、吸気口71の下流側を傾斜面86が閉塞することがなく、ケース体51内の風路57での圧力損失を抑制できる。
【００６６】
次に、第２の実施の形態を図５および図６を参照して説明する。なお、上記第１の実施の形態と同様の構成および作用については、同一符号を付してその説明を省略する。
【００６７】
この第２の実施の形態は、上記第１の実施の形態において、フィルタ部69のフィルタ枠部81に、区画リブ113，113を一体に形成したものである。
【００６８】
すなわち、これら区画リブ113，113は、図６に示すように、フィルタ82の吸気口71と対向する位置で、吸気口71の投影位置Ａの両側部に配置されており、風路57内に投影位置Ａ以上の幅寸法を有する流路114を区画している。また、区画リブ113，113は、側面視で略直角三角形状に形成されており、上辺が略水平状となっている。このため、区画リブ113，113は、傾斜面86に対して、前側から後側へと徐々に突出量が減少するように形成されている。さらに、これら区画リブ113，113は、フィルタ82の前端の両側部から後端の両側部に亘って前後方向に直線状に配置されている。
【００６９】
そして、掃除の際に、電動送風機27を駆動させると、この駆動により生じた負圧によって、図５および図６に示すように、塵埃を含んだ空気が吸気口71からケース体51内(塵埃収容部56内)に流入する(矢印Ｗ)。
【００７０】
この流入した吸気風は、区画リブ113，113に沿ってフィルタ82へと整流され、このフィルタ82に付着した塵埃を確実に剥がして吹き飛ばし、フィルタ82を目詰まりが抑制された状態に維持する。
【００７１】
このように、上記第２の実施の形態によれば、フィルタ82の吸気口71と対向する位置にケース体51の内面側の吸気口71の形状の投影位置Ａ以上の幅寸法を有する流路114を区画する区画リブ113，113を形成することにより、流路114を介して吸気風をフィルタ82へと確実に導き、フィルタ82に付着した塵埃を、吸気風によって、より効果的に吹き飛ばすことができる。
【００７２】
次に、第３の実施の形態を図７を参照して説明する。なお、上記各実施の形態と同様の構成および作用については、同一符号を付してその説明を省略する。
【００７３】
この第３の実施の形態は、上記第１の実施の形態のフィルタ部69が、蓋体53と一体的に配置されているものである。
【００７４】
すなわち、フィルタ部69は、蓋体53の上部を閉塞しており、この蓋体53と一体的に回動するように蓋体53に対して固定されている。
【００７５】
したがって、掃除が終了した後、集塵カップ36に捕集された塵埃を廃棄する際には、作業者がハンドル54を把持して集塵カップ36をごみ箱などの廃棄部上へと持ち運んで操作ボタン104を操作することにより、係止体72，72が被係合部102，102から外れて、蓋体53およびフィルタ部69の前端側が回動軸53aを中心として自重により下方へと回動し、塵埃排出口95が開く。この結果、フィルタ部69の上側の塵埃収容部56に溜められていた粗塵Ｄが、自重により塵埃排出口95から集塵カップ36の外部の廃棄部へと落下して排出される。
【００７６】
このように、フィルタ部69(フィルタ82)を蓋体53に一体的に取り付けることにより、蓋体53を開くだけで、集塵カップ36内に収容された塵埃を容易に除去できる。
【００７７】
なお、上記第３の実施の形態は、上記第２の実施の形態と組み合わせてもよい。
【００７８】
また、上記各実施の形態において、フィルタ82の前端(下端)側は、吸気口71の投影位置Ａの下端よりも外側(下側)に位置していれば、前面部65に接触していなくてもよい。
【００７９】
さらに、閉塞部68は、吸気風を通過させて塵埃を捕集する濾過フィルタである集塵用フィルタを備えた構成としてもよい。この場合には、集塵カップ36のフィルタ面積をより増大できるとともに、吸い込みの持続用のフィルタ82と役割を分担でき、より効率よく集塵できる。
【００８０】
また、フィルタ部69は、回動以外の移動によって塵埃を塵埃排出口95から排出する構成としてもよい。同様に、蓋体53は、回動以外の移動によって塵埃排出口95を開閉する構成としてもよい。さらに、これらフィルタ部69および蓋体53は、移動(回動)しない構成としてもよい。
【００８１】
さらに、コードリール室、電源コードおよびコードリールなどは、必須の構成ではない。すなわち、電気掃除機11は、二次電池などの電池により電動送風機27などに給電する構成でもよい。
【００８２】
そして、電気掃除機11としては、例えば床ブラシ19を掃除機本体13の下部に接続したアップライト型、あるいはハンディ型など任意のものを用いることができ、掃除機本体13内の細部は、上記構成に限定されるものではない。
【符号の説明】
【００８３】
11    電気掃除機
13    掃除機本体
27    電動送風機
36    集塵装置としての集塵カップ
51    ケース体
53    蓋体
71    吸気口
82    フィルタ
86    傾斜面
93    排気口
95    塵埃排出口
113   区画リブ
【図１】
2011010742.tif 000003
【図２】
2011010742.tif 000004
【図４】
2011010742.tif 000005
【図５】
2011010742.tif 000006
【図６】
2011010742.tif 000007
【図７】
2011010742.tif 000008
【図３】
2011010742.tif 000009